(57)【要約】【課題】  ケーブルのストランドを案内する少なくとも一つの軸受領域と、好ましくは偏向用の複数の軸受領域とから成る案内装置を提供し、各軸受領域がケーブルのストランドの一つの個々の支持を可能とする。【解決手段】  ストランド（２）用の案内装置（１）において、案内装置（１）が本体（５）から成り、その本体には少なくとも一つの彎曲されたチャンネル（６）が設けられていて、前記チャンネル（６）の曲線に沿って彎曲されている縦軸線（７）と、縦軸線（７）の下面の側面に主として配置された第一部分（８）とを包含し、第一部分（８）がチャンネル（６）の長さを受けることができ、ストランド（２）が前記ストランド（２）により表現された周面（１０）の一部分に支持されている。
2009534555.tif 000002
【特許請求の範囲】
【請求項１】
ストランド（２）用の案内装置（１）において、案内装置（１）が本体（５）から成り、その本体には少なくとも一つの彎曲されたチャンネル（６）が形成されていて、曲率平面（１２）として参照される平面において縦軸線（７）を包含し、前記チャンネル（６）の曲率によって彎曲されていて、
チャンネル（６）の長さの制限内に前記ストランド（２）の周面（１０）の少なくとも一部分にストランド（２）を支持するのを可能とする縦軸線（７）の内部の側面に原理的に位置した少なくとも一つの第一部分（８）とから成り、                              この装置は、第一部分（８）が第一面（１３）として参照された横方向支持体の少なくとも二つの面によって限定されている第一横断面を有し、第一面（１３）がチャンネル（６）に係合されるストランド（２）の一部と局所に協働できるように位置されていて、曲率平面（１２）の両側面に位置される周面（１０）の二つの横地域（１４）におけるこの第一面はストランドが応力を受けるときにストランド（２）の締付け現象を開始するのに少なくとも十分に決定された角度（Ａ）を側面の間に形成するように配向されていることを特徴とする装置。
【請求項２】
チャンネル（６）の第一部分（８）において、第一面（１３）はストランドが第一面（１３）に横方向に静止するときにストランド（２）の任意の接触から遮断されるように形成配置される第二面（１６）により接続されていることを特徴とする請求項１に記載の装置。
【請求項３】
第二面（１６）は、横断面において、第二面（１６）が実質的に凹状に見えるように彎曲される横母線を有することを特徴とする請求項２に記載の装置。
【請求項４】
案内装置（１）は実質的にストランド（２）の挿入前にチャンネル（６）に挿入され、前記ストランド（２）の配置後に前記チャンネル（６）から抽出され、第二面（１６）に静止して配置されるよう設計される少なくとも一つの可動要素（１７）から成り、この可動要素が前記第二面（１６）に静止して置かれるときに、二つの第一面（１３）にストランド（２）の同時押圧を阻止する楔を形成することを特徴とする請求項２或いは３に記載の装置。
【請求項５】
少なくとも一つのチャンネル（６）から成り、そのチャンネルが第二部分（１１）を備えていて、その第二部分が前記チャンネル（６）の縦軸線（７）の外部の側面に原理的に位置され、第一部分（８）に接続されていて、チャンネル（６）に係合中に、特に曲率（１２）の平面でチャンネルを形成するためにストランド（２）の案内を可能とし、曲率平面がチャンネル（６）の縦軸線（７）を含有するタイプの装置において、この装置は前記第二部分（１１）はチャンネル（６）への係合によりストランド（２）の周面（１０）を摺動させるために配向された曲線により形成された第三面（１８）により形成されていることを特徴とする請求項１乃至４のいずれか一項に記載の装置。
【請求項６】
第三面（１８）と第二面（１６）が少なくとも十分な形式に間隔を置いているので、可動要素（１７）が第二面（１６）に静止して位置されると、可動要素が係合無しに機能を保証でき、チャンネル（６）内のストランド（２）の摺動が第三面（１８）との接触により干渉されていることを特徴とする請求項５に記載の装置。
【請求項７】
第二面（１６）が実質的に半円形状の第二横断面を有することを特徴とする請求項５或いは６に記載の装置。
【請求項８】
二つの第一面（１３）は曲線平面（１２）の両側面に位置していることを特徴とする請求項１乃至７のいずれか一項に記載の装置。
【請求項９】
二つの第一面（１３）は曲線平面（１２）に関して対称的に配置されていることを特徴とする請求項１乃至８のいずれか一項に記載の装置。
【請求項１０】
第一面（１３）はそれぞれに実質的に平らであることを特徴とする請求項１乃至９のいずれか一項に記載の装置。
【請求項１１】
請求項１乃至１０のいずれか一項に記載の装置から成る構造。
【発明の詳細な説明】
【技術分野】
【０００１】
この発明は、ストランドの案内装置に関する。
【０００２】
この発明は、さらに、ストランドの前記案内装置から成る構造に関する。
【０００３】
この発明は、特に、しかし専らではなく、むしろ土木工学や建築活動に使用され、複数のストランドから形成されたケーブルのストランドの案内装置の達成に関する。
【０００４】
事実、野外における無数の構造や顕著な橋は、これら構造の要素を支持し、要素をこれら構造間に保持するように使用されるケーブルから成る。
【０００５】
そのようなケーブルがそれら対向端の間の牽引において応力されていて、しかし頻繁に案内装置がケーブルが延びなければならない方向にどんな方法でケーブルを離れないような形式にケーブルを横方向に且つ局部的に保持するために使用される。
【０００６】
上記引用されたタイプの案内装置の機能は、ケーブルの横方向且つ局部的保持やこの目的のために設けられた支持体に対してこの分離により生じた応力の移送を可能とする。
【０００７】
前記タイプの案内装置は、支持体とケーブルの間に装入されるように企図されている。
【０００８】
従来には、そのような案内装置は、ケーブルの各ストランドの個々の横方向且つ局部的支持できるように想像される。
【特許文献１】ドイツ特許出願公開第１９９３４８７２明細書
【特許文献２】英国特許第１２７７４８９明細書
【発明の開示】
【発明が解決しようとする課題】
【０００９】
この目的のために、案内装置は、ケーブルのストランドを案内する少なくとも一つの軸受領域と、好ましくは偏向用の複数の軸受領域とから成り、各軸受領域がケーブルのストランドの一つの個々の支持を可能とする。
【課題を解決するための手段】
【００１０】
案内装置は、一般に固体である本体から形成され、少なくとも一つの彎曲したチャンネルがストランドにより横断されるように企図されたチャンネルとしてされて形成されている。
【００１１】
本体は従来にはストランドから成る案内ケーブルと同様に多数のチャンネルから成る。
【００１２】
従来には、ストランドはそれぞれに一般に金属である複数のワイアから形成されるけれども、これに限定されていない。
【００１３】
ストランドはしばしば円に記載される横断面を有するが、しかしこの断面は楕円或いは他の形状でもよい。
【００１４】
チャンネルの各々はストランドが受けなければならないストランドの横断面と実質的に補足的形状の横断面を有する。
【００１５】
例えばケーブルのストランドが円を記載する横断面を有するときに、各チャンネルはストランドの横断面が記載される円より大きい直径の実質的に円形の横断面を有する。    
【００１６】
本体の各チャンネルが彎曲された縦軸線と少なくとも一つの第一部分とから成り、この第一部分が縦軸線の内部の側面に原理的に位置して、チャンネルの長さの制限内に、前記ストランドの周面の一部にストランドの支持を可能することが心に留められ得る。
【００１７】
同様に、各チャンネルが少なくとも一つの第二部分から成り、この第二部分が縦軸線の外部の側面に原理的に位置して、第一部分に接続されていて、チャンネルに係合中に、前記チャンネルの縦軸線を含有する曲率平面でチャンネルを形成するためにストランドを案内できることが心に留められ得る。  
【００１８】
チャンネルの縦寸法に沿って延びる軸線が縦軸線によって選定されて、チャンネル軸線がこのチャンネルの曲率平面でチャンネルの横断寸法に関して中間位置に傾斜していない。
【００１９】
指示された縦軸線が内部と外部の定義を可能とする機能として、この縦軸線により形成された曲線の内側に位置した第一地域である内部と前記縦軸線により形成された曲線の外側に位置した第二地域である外部とを有する。
【００２０】
従来には、各チャンネルが円形横断面である。
【００２１】
例示を参照すると、装置の本体がコンクリートの塊から形成されて、各チャンネルが前記コンクリート塊に埋め込まれた彎曲されたチューブの通過によって形成される。
【００２２】
ケースがどんなものであっても、このタイプの装置がそれらの利点を有し、しかし、これら案内装置を横断するストランドが据え付け後に案内装置を軸方向に移動させ得て、案内装置が荷重の下にあるときに、案内装置の片面或いは他の面から張力の変量を受けることは極めて非常に遺憾である。
【００２３】
この発明が目的とする成果は、ストランドがより良く保持され、この事実と大きな範囲によって案内装置を軸方向に移動させる応力に僅かにしか感応しない前記タイプの案内装置を得ることである。
【００２４】
この目的のために、この発明の目的は請求項１による案内装置を有する。
【００２５】
この発明は同様にストランド用の前記案内装置から成る構造に関する。
【００２６】
この発明は、概略的に表示する添付図面を参照して、非制限例によって与えられ、次の記載を読み取ることからより良く理解される。
【００２７】
図面を参照すると、ストランド２用の案内装置１を見る。
【００２８】
例えばこの発明は複数のストランド２から形成されたケーブルのストランド２用の案内装置１に関する。
【００２９】
従来には、ストランド２が各複数のワイア４、特に金属から形成されている。
【００３０】
例えばストランド２が七本のワイア４のグループから成る。
【００３１】
表示されたストランド２が円に記載される横断面を有するが、しかしストランドが楕円或いは他の形状にも記載され得る。
【００３２】
図面、図４と５に表示されるのはストランド２であり、外被或いはケーシング無しのストランドと呼ばれたタイプのストランドとして表現されるが、しかしこれはこの発明の特徴を制限しない。
【００３３】
被覆されていないストランドが図６に表示されている。
【００３４】
対称的に、被覆されたストランドがストランド２であり、ストランドを構成するワイア４がその長さの少なくとも一つの部分にあり、外被或いはケーシング４０に収容され且つ包囲され、この外被或いはケーシング４０がポリエチレン材料から形成された管状壁４１のような少なくとも一つの管状壁４１（図７）によって形成される。
【００３５】
同様に、被覆されたストランドがストランド２であり、ストランドを構成するワイア４がその長さの少なくとも一つの部分にあり、外被或いはケーシング４０に収容され且つ包囲され、この外被或いはケーシングが管状壁４１と同様な少なくとも一つの壁により、被覆（図８）、圧延或いは巻付け（示されていない形式）或いは任意の他の方法によって形成された壁により、形成される。
【００３６】
例えば圧延或いは巻付けにより形成された壁を採用すると、非金属材料の層、例えばエポキシのような重合体材料或いは金属材料の層、例えば亜鉛から成ることが述べられている。
【００３７】
ケースがどんなものであろうとも、この発明の装置が被覆されるストランド２と、被覆されていないストランド２と共に使用され得る。
【００３８】
案内装置１は少なくとも一つの彎曲されたチャンネル６が形成されている本体５から成り、この本体が前記チャンネル６の曲率により彎曲された縦軸線７から成り、縦軸線７の内部の側面に原理的に位置した少なくとも一つの第一部分８から成り、チャンネル６の長さの限度内に、前記ストランド２の周面の少なくとも一部分にてストランド２の支持を可能とする。
【００３９】
縦軸線７により選定されるのは、チャンネル６の縦寸法に沿って延びる軸線であり、しかし軸線がこのチャンネル６の曲線平面においてチャンネル６の横断寸法に関して中間位置に傾斜していない。
【００４０】
明記される如く、指示された縦軸線７が内部と外部の定義を可能とする機能として、この縦軸線７により形成された曲線の内側に位置した第一地域である内部と前記縦軸線７により形成された曲線の外側に位置した第二地域である外部とを有する。
【００４１】
好ましくは、案内装置１は少なくとも一つの彎曲されたチャンネル６が形成されて少なくとも一つの第二部分１１を備える本体５から成り、この第二部分が縦軸線７の外部の側面に原理的に位置して、第一部分８に接続されていて、チャンネル６への係合中に、特にチャンネル６の縦軸線７を含有する曲線平面１２にチャンネル６を形成するためにストランド２を案内できる。
【００４２】
ストランド２の周面１０がそのストランドを構成するワイア４の周面の部分、或いは可能にこれらワイア４をカバーする被覆４０の周面の部分により形成されることが考慮できるちがいない。
【００４３】
図４−８において、ストランドの周面１０の形状は前記ストランド２の横断面をカバーする精密マーク付けによって象徴化されている。
【００４４】
注目すべき方法では、第一部分８が第一面１３として参照して横方向接触の少なくとも二つ面により限定される第一横断面を有する。
第一面１３はチャンネル６に係合されるストランド２の一部と局部的に協働できるような方法に位置され、曲線平面１２の両側面に位置される周面１０の二つの横地域１４におけるこのストランドは、ストランドが応力を受けるときに、ストランド２の締付けの現象を開始するように少なくとも十分に予め決められた角度Ａをそれらストランドの間に形成するような方法で配向されている。
【００４５】
案内装置１はストランドの支持体を形成するように構成されていて、支持体が両横方向支持体として限定することが可能である。
【００４６】
それ故に、両横方向支持体がストランド２の締付けの現象を開始するために、状況と制限された範囲のために選択される。
【００４７】
この横方向支持体を介して、締付けの現象は台形として参照されたベルトの滑車の分野において検索されたものと実質的に等しく検索される。
【００４８】
第一面１３の間のストランドの係合が前記ストランド２の横断締付けを誘導する（示されていない）対向作用を発生させる。
【００４９】
締付けの現象はストランド２が外被４０から成る、或いは外被４０から成らないときに発生される。
【００５０】
ストランド２が外被４０から成るときに、第一面１３がストランド２に対して外被４０を局部的に適用し、さらに、締付けの作用を発生させ、この締付けの作用（示されていない）が対向される傾向であり、外被４０内で前記ストランド２のワイア４の摺動及び/ 又はチャンネル６内のストランド２の摺動が対向されている。
【００５１】
そのように示されていて、案内装置１はパイロンの頂点（示されていない）のような支持体９に接続されている。
【００５２】
二つの第一面１３が曲率平面１２の両側面に位置されている。
【００５３】
二つの第一面１３が曲率平面１２に関して対称的に配置されている。
【００５４】
当業者は二つの第一面１３が形成する角度の値を決定でき、これは少なくとも連続して試行する。
【００５５】
当業者は二つの第一面１３が形成する角度の値を決定でき、これはこれら第一面１３の一方或いは他方とストランド２の周面１０の間の摩擦係数の函数として算出される。
【００５６】
有益には、第一面１３がそれぞれに実質的に平らである。
【００５７】
第一面１３がスムーズであるか、或いは起伏を有し得る。
【００５８】
チャンネル６の第一部分８には、第一面１３が第二面１６により接続されていて、この第二面はストランド２が第一面１３に横方向支持体であるときに、ストランド２との任意の接触から遮断されるように形成配置されている。
【００５９】
例えば第二面１６は曲率平面１２に実質的に垂直に延びる横断母線を有する。
【００６０】
好ましい実施例では、第二面１６は、横断面で見たらこの第二面１６が実質的に凹状に見られるような形式に彎曲される横断母線を有する。
【００６１】
如何なる場合でも、前記第二面１６は、ストランド２が第一面１３に横方向支持体であるときに、ストランド２との任意の接触から遮断されるように配置されている。
【００６２】
案内装置１は、ストランド２の実質的に挿入前にチャンネル６に装入されるように且つ前記ストランド２の適当な場所に設置後に前記チャンネル６から抽出されるように企図され、第二面１６に支持体を設置されるように構成される少なくとも一つの可動要素１７から成り、可動要素が前記第二面１６に支持体を設置されるときに、二つの第一面１３にストランド２の同時押圧を阻止する楔を形成する。
【００６３】
このチャンネルを通して、チャンネル内のストランド２の縦変位が締付け或いは締付けの開始無しに得られ得る。
【００６４】
可動要素１７の引き出しは、ストランド２が二つの第一面１３に支持体をもたらされ、このストランド２の締付けを少なくとも開始させる。
【００６５】
第二部分１１に関して、第二部分は、チャンネル６内に係合中に、ストランド２の周面１０の摺動をもたらすために配向された彎曲線により形成された第三面１８により形成されている。
【００６６】
好ましくは顕著な形式で、第二部分１１は実質的に半円形の第二横断面を有する。
【００６７】
顕著な形式では、第三面１８と第二面１６が少なくとも十分な形式に間隔を置いているので、可動要素１７が第二面１６に静止して位置されるときに、可動要素が係合なしにその機能を保証でき、チャンネル６内のストランド２の摺動が第三面１８との接触により干渉されている。
【００６８】
当業者は発明活動を実演すること無しに割合を調整できる。
【００６９】
当業者は、同様に、案内装置１のチャンネルを達成させるように異なった形式で且つコンクリートのような材料塊に埋め込まれる形成された横断面に一致する横断面を有するチューブを使用する有益な形式で計画できる。  
【００７０】
同様に、案内装置のチャンネルが成形によって創作され得る。
【００７１】
この発明は、同様に、ここに記載された案内装置から成る構造に関する。
【図面の簡単な説明】
【００７２】
【図１】縦平面に沿って断面に見られるこの発明による案内装置を示す。
【図２】かなり大きな尺度に見られるように装置のチャンネルの一つを示す装置の細部を示す。
【図３】平面III−IIIによって図２の細部の断面図である。
【図４】ストランドがチャンネルを横断するときの図３の細部を示す。
【図５】ストランドがチャンネルを横断するときの図３の別の細部を示す。
【図６】ストランドの周面の一部に支持するストランドの一つの横断面を示す。
【図７】ストランドの周面に外被を備えるストランドの一つの横断面を示す。
【図８】ストランドの周面に外被を備えるストランドの別の横断面を示す。
【符号の説明】
【００７３】
１．．．．．案内装置
２．．．．．ストランド
４．．．．．ワイア
５．．．．．本体
６．．．．．チャンネル
７．．．．．縦軸線
８．．．．．第一部分
１０．．．．周面
１１．．．．第二部分
１２．．．．曲率平面
１３．．．．第一面
１４．．．．横地域
１６．．．．第二面
１７．．．．可動要素
１８．．．．第三面
４０．．．．外被
【図１】
2009534555.tif 000003
【図２】
2009534555.tif 000004
【図３】
2009534555.tif 000005
【図４】
2009534555.tif 000006
【図５】
2009534555.tif 000007
【図６】
2009534555.tif 000008
【図７】
2009534555.tif 000009
【図８】
2009534555.tif 000010
【国際調査報告】
2009534555.tif 000011
2009534555.tif 000012
2009534555.tif 000013
2009534555.tif 000014